(57)【要約】【課題】保守作業の作業性、被記録媒体の設置性の少なくとも一方を向上させるとともに設置スペースを小さくすることができる記録装置を提供する。【解決手段】記録装置は、被記録媒体に記録を実行する記録部と、被記録媒体を支持する支持部と、記録部に対して支持部を、当該支持部に被記録媒体をセットするセット位置と、支持部に支持された被記録媒体に記録部を用いて記録を実行する記録位置との間で第１の方向に相対的に移動させる移動部と、記録部および移動部を操作するための操作部とを備える。操作部の第１の方向におけるセット位置側の端部は、支持部がセット位置に位置する状態において、第１の方向における支持部の記録部側の端部よりも記録部側に位置する。操作部は、第１の方向と交差する第２の方向において、移動部と少なくとも一部が重なる。【選択図】図１
2014156062.tif 000002
【特許請求の範囲】
【請求項１】
被記録媒体に記録を実行する記録部と、
前記被記録媒体を支持する支持部と、
前記記録部に対して前記支持部を、当該支持部に前記被記録媒体をセットするセット位置と、前記支持部に支持された前記被記録媒体に前記記録部を用いて記録を実行する記録位置との間で第１の方向に相対的に移動させる移動部と、
前記記録部および前記移動部を操作するための操作部と、
を備え、
前記操作部の前記第１の方向における前記セット位置側の端部は、前記支持部が前記セット位置に位置する状態において、前記第１の方向における前記支持部の前記記録部側の端部よりも前記記録部側に位置し、
前記操作部は、前記第１の方向と交差する第２の方向において、前記移動部と少なくとも一部が重なる、
ことを特徴とする記録装置。
【請求項２】
請求項１に記載の記録装置において、
前記記録部は、筐体と、該筐体内に設けられた記録ヘッドとを有し、
前記筐体の前記第１の方向における前記セット位置側の端部は、前記支持部が前記セット位置に位置する状態において、前記第１の方向における前記支持部の前記記録部側の端部よりも前記記録ヘッド側に位置する、
ことを特徴とする記録装置。
【請求項３】
請求項２に記載の記録装置において、
前記筐体において、前記第２の方向における一方側の端部から前記移動部までの長さは、前記第２の方向における他方側の端部から前記移動部までの長さよりも長い、
ことを特徴とする記録装置。
【請求項４】
請求項１から３のいずれか１項に記載の記録装置において、
前記記録部は、記録ヘッドと、前記記録ヘッドへ供給するインクを収容するインク収容体を収容可能な収容部とを備え、
前記収容部に前記インク収容体が収容された場合、前記インク収容体の前記第１の方向における前記セット位置側の端部は、前記支持部が前記セット位置に位置する状態において、前記支持部の前記記録部側の端部よりも前記記録部側に位置する、
ことを特徴とする記録装置。
【請求項５】
請求項４に記載の記録装置において、
前記収容部は、前記第２の方向における一方向側に設けられた第１収容部と、他方向側に設けられた第２収容部とを備え、
前記移動部は、前記第２の方向において前記第１収容部と前記第２収容部との間に位置する、
ことを特徴とする記録装置。
【請求項６】
請求項４または５に記載の記録装置において、前記収容部は開閉カバーを備え、
閉じた状態における前記開閉カバーは、前記支持部が前記セット位置に位置する状態において、前記第１の方向における前記支持部の前記記録部側の端部よりも前記記録ヘッド側に位置する、
ことを特徴とする記録装置。
【請求項７】
請求項１から６のいずれか１項に記載の記録装置において、前記記録部は、内部を目視可能な目視可能部を備える、
ことを特徴とする記録装置。
【請求項８】
請求項７に記載の記録装置において、前記目視可能部は透明な開閉カバーを備える、
ことを特徴とする記録装置。
【請求項９】
請求項８に記載の記録装置において、前記透明な開閉カバーの前記第２の方向における長さは、前記移動部の前記第２の方向における長さよりも長い、
ことを特徴とする記録装置。
【発明の詳細な説明】
【技術分野】
【０００１】
本発明は、被記録媒体に記録を行う記録装置において、該装置の保守作業の作業性を向上させた記録装置に関する。  
本願において、記録装置には、インクジェットプリンター、ラインプリンター、複写機等の種類が含まれるものとする。
【背景技術】
【０００２】
従来、被記録媒体であるＴシャツ等の布帛の表面（記録面）に対して、記録ヘッドから各色のインクを吐出して所望の画像を記録するインクジェット記録装置が開発され、広く使用されている。
【０００３】
このインクジェット記録装置には、布帛すなわち被記録媒体を装置前方のデフォルト位置でプラテンに載置し、載置後にプラテンを装置本体内に設けられた記録ヘッドと対向する位置に移動させて、被記録媒体に記録するものがある（特許文献１）。
【先行技術文献】
【特許文献】
【０００４】
【特許文献１】特開２００６−２４０１０７号公報
【０００５】
このインクジェット記録装置は、被記録媒体が載置されたプラテンをデフォルト位置と被記録媒体に記録を実行する際の記録開始位置との間を搬送するプラテンと、当該プラテンによって記録開始位置に搬送された被記録媒体に記録を行うインクジェットヘッドとを備えている。前記プラテンは、該プラテンの搬送方向に沿って装置本体内から装置前方に延びるベースに設けられたレールに沿って移動するプラテン支持台に取り付けられている。
【０００６】
また、インクジェットヘッドは、被記録媒体の搬送方向と交差する装置本体の幅方向を移動方向として往復移動するキャリッジに前記プラテンと対向するように取り付けられている。
【０００７】
ところで、インクをノズルから吐出させるインクジェット方式の記録装置において、前記ノズルに付着したインクにより前記ノズルが詰まることを防止するために、装置本体の幅方向における記録実行領域の外側に配置されたフラッシングパッドに向けてインクを前記ノズルから吐出させるフラッシングが行われる。このため、前記フラッシングパッドは、フラッシングによりノズルから吐出したインクを吸収することから前記フラッシングが実行された回数に応じて交換する必要がある。
【０００８】
また、装置本体の幅方向における記録実行領域の外側において、前記フラッシングパッドと反対の側には、記録ヘッドのノズル面を清掃するワイパーと、前記キャリッジがホームポジションに位置する際前記ノズル面を保護するキャップとが設けられている。前記ワイパーは、前記キャリッジが前記装置本体の幅方向に移動する際、ノズル面に付着して粘度の高くなったインクを前記ノズル面から擦り取る。
【０００９】
また、前記キャップは、前記キャリッジがホームポジションに位置する際、前記記録ヘッドのノズル面を保護するとともに前記ノズル内に残ったインクを吸引してキャップ内のインク吸収材に吸収させる。このため、前記ワイパー及びキャップは、ノズルのインク吐出機能の維持のため、定期的に前記ワイパーの洗浄及び前記インク吸収材の交換が必要となる。
【００１０】
また、このインクジェット記録装置は、前記インクジェットヘッドへインクを供給するインクカートリッジを収納したインクカートリッジ収納部を有しており、定期的にインクカートリッジの交換が必要となる。
【００１１】
このため、このインクジェット記録装置において、定期的に装置本体内に設けられたフラッシングパッド、ワイパー及びキャップの洗浄、交換、インクカートリッジの交換等の保守作業が必要となる。
【００１２】
また、特許文献１に記載のインクジェット記録装置では、前記ベースの側方に当該記録装置を操作する操作パネルが設けられている。しかし、この構成では、インクジェット記録装置が大型化し、当該インクジェット記録装置の設置スペースが大きくなる。また、前記操作パネルが装置幅方向において一方の側に配置されていることから、ユーザーは、装置幅方向における他方の側から前記操作パネルを操作し難く、作業性が低下する虞がある。
【発明の概要】
【発明が解決しようとする課題】
【００１３】
しかし、このインクジェット記録装置では、装置前方に装置本体から突出するベースが設けられていることから、ユーザーが前記装置前方から前記保守作業を実施する際、前記ベースがユーザーを装置近傍に近づくことを阻み、ユーザーが手を伸ばした状態で前記保守作業を実施せざるを得ず、また作業箇所がユーザーから見えづらいこともあり、無理な姿勢で作業せざるを得ないことから保守作業の作業性に劣ることがある。
【００１４】
あるいは、ユーザーが保守作業を実施するために、このインクジェット記録装置の周囲に保守作業のためにユーザーが入れる領域を確保しなければならず、インクジェット記録装置を設置するための領域を増大させることとなる。
【００１５】
また、収納したインクカートリッジ収納部が、インクジェット記録装置に前記布帛をセットする際に障害となることがあった。
【００１６】
また、インクジェット記録装置において設置スペースを小さくするとともに作業性を向上させるために、一例として前記操作パネルを装置幅方向において中央部に配置することが考えられる。しかし、前記操作パネルを前記中央部に配置すると、前記操作パネルの少なくとも一部は装置本体から装置前方に延びるベースの上方に位置することとなる。
【００１７】
このため、前記ベースにおいてプラテン支持台を装置前方側の被記録媒体のセット位置に位置させて当該プラテン支持台に被記録媒体をセットする場合、被記録媒体とベース上方に位置する前記操作パネルとが干渉して前記プラテン支持台への被記録媒体の円滑な設置を妨げる虞がある。これにより、被記録媒体のプラテン支持台への設置作業の作業性が低下する虞がある。
【００１８】
本発明は、上記問題点に鑑みてなされたもので、保守作業の作業性、被記録媒体の設置性の少なくとも一方を向上させるとともに設置スペースを小さくすることができる記録装置を提供することを目的とする。
【課題を解決するための手段】
【００１９】
上記課題を達成するため、本発明の第１の態様の記録装置は、被記録媒体に記録を実行する記録部と、前記被記録媒体を支持する支持部と、前記記録部に対して前記支持部を、当該支持部に前記被記録媒体をセットするセット位置と、前記支持部に支持された前記被記録媒体に前記記録部を用いて記録を実行する記録位置との間で第１の方向に相対的に移動させる移動部と、前記記録部および前記移動部を操作するための操作部と、を備え、前記操作部の前記第１の方向における前記セット位置側の端部は、前記支持部が前記セット位置に位置する状態において、前記第１の方向における前記支持部の前記記録部側の端部よりも前記記録部側に位置し、前記操作部は、前記第１の方向と交差する第２の方向において、前記移動部と少なくとも一部が重なることを特徴とする。
【００２０】
本態様によれば、前記操作部の前記第１の方向における前記セット位置側の端部が、前記セット位置に前記支持部が位置する際、前記第１の方向における前記支持部の前記記録部側の端部よりも前記記録部側に位置している。これにより、本態様の記録装置は、被記録媒体を前記支持部にセットする際、前記被記録媒体が前記操作部に干渉する虞を低減する、あるいは防止することができる。
【００２１】
また、前記操作部は第２の方向において前記移動部と少なくとも一部が重なるように配置されている。このため、例えば、前記操作部を前記第２の方向において前記移動部とともに前記記録装置の中央に配置した場合、前記第２の方向において前記移動部の両側から前記操作部への操作が容易となる。また、前記操作部を記録装置の側方に設けるよりも前記操作部を操作するための作業領域を小さくでき、装置そのものの小型化を図ることができる。
【００２２】
尚、本明細書における「保守作業」とは、フラッシングパッド、ワイパー及びキャップの洗浄、交換のみならず、キャリッジの保守や被記録媒体の詰まり除去等、記録部全般に亘る保守、インクカートリッジの交換作業を含むものとする。
【００２３】
本発明の第２の態様は、第１の態様において、前記記録部は、筐体と、該筐体内に設けられた記録ヘッドとを有し、前記筐体の前記第１の方向における前記セット位置側の端部は、前記支持部が前記セット位置に位置する状態において、前記第１の方向における前記支持部の前記記録部側の端部よりも前記記録ヘッド側に位置することを特徴とする。
【００２４】
本態様によれば、前記支持部が前記セット位置に位置する状態において、前記筐体の前記第１の方向における前記セット位置側の端部は、前記第１の方向における前記支持部の前記記録部側の端部よりも前記記録ヘッド側に位置することから、被記録媒体を前記支持部にセットする際、前記被記録媒体が前記筐体に干渉する虞を低減する、あるいは防止することができる。
【００２５】
本発明の第３の態様は、第２の態様において、前記筐体において前記第２の方向における一方側の端部から前記移動部までの長さは、前記第２の方向における他方側の端部から前記移動部までの長さよりも長いことを特徴とする。
【００２６】
本態様によれば、前記第２の方向における一方側の端部から前記移動部までの長さは、前記第２の方向における他方側の端部から前記移動部までの長さよりも長いことから、前記一方側の端部においてユーザーのアクセスが容易となり、前記一方側の端部における保守作業の作業性を向上させることができる。
【００２７】
本発明の第４の態様は、第１から第３のいずれか一の態様において、前記記録部は、記録ヘッドと、前記記録ヘッドへ供給するインクを収容するインク収容体を収容可能な収容部とを備え、前記収容部に前記インク収容体が収容された場合、前記インク収容体の前記第１の方向における前記セット位置側の端部は、前記支持部が前記セット位置に位置する状態において、前記支持部の前記記録部側の端部よりも前記記録部側に位置することを特徴とする。
【００２８】
本態様によれば、前記収容部に前記インク収容体が収容された場合、前記インク収容体の前記第１の方向における前記セット位置側の端部は、前記支持部が前記セット位置に位置する状態において、前記支持部の前記記録部側の端部よりも前記記録部側に位置することから、被記録媒体を前記支持部にセットする際、前記被記録媒体が前記インク収容体に干渉する虞を低減する、あるいは防止することができる。
【００２９】
本発明の第５の態様は、第４の態様において、前記収容部は、前記第２の方向における一方向側に設けられた第１収容部と、他方向側に設けられた第２収容部とを備え、前記移動部は、前記第２の方向において前記第１収容部と前記第２収容部との間に位置することを特徴とする。
【００３０】
本態様によれば、前記第２の方向において前記移動部の一方向側に第１収容部が設けられ、他方向側に第２収容部が設けられていることから、前記移動部の両側において前記操作部の操作だけでなく、インク収容体の交換作業も行うことができる。これにより、記録装置の周辺に別々に作業スペースを設ける必要がなくなり、装置そのものの小型化を図ることができる。
【００３１】
本発明の第６の態様は、第４または第５の態様において、前記収容部は開閉カバーを備え、閉じた状態における前記開閉カバーは、前記支持部が前記セット位置に位置する状態において、前記第１の方向における前記支持部の前記記録部側の端部よりも前記記録ヘッド側に位置することを特徴とする。
【００３２】
本態様によれば、前記開閉カバーの開閉スペースを前記移動部の両側において前記操作部の操作作業領域と兼ねることができることから、記録装置の周囲に開閉カバーの開閉スペースを設ける必要がなく、前記記録装置の設置スペースを小さくすることができる。
【００３３】
本発明の第７の態様は、第１から第６のいずれか一の態様において、前記記録部は、内部を目視可能な目視可能部を備えることを特徴とする。
【００３４】
本態様によれば、前記記録部には内部を目視可能な目視可能部が設けられていることから、前記移動部の両側において前記記録部の保守作業をする際、保守作業の作業性が向上するとともに前記記録部における被記録媒体に対する記録実行状態も目視で確認することができる。
【００３５】
本発明の第８の態様は、第７の態様において、前記目視可能部は透明な開閉カバーを備えることを特徴とする。  
本態様によれば、前記移動部の両側からの前記記録部内部への視認性を向上させることができる。  
ここで「透明なカバー」とは、無色透明なカバーだけではなく、有色であっても前記記録部の外部から前記記録部の内部を目視可能に構成されたカバーをも含むものとする。
【００３６】
本発明の第９の態様は、第８の態様において、前記透明な開閉カバーの前記第２の方向における長さは、前記移動部の前記第２の方向における長さよりも長いことを特徴とする。
【図面の簡単な説明】
【００３７】
【図１】本発明に係る記録装置の外観斜視図。
【図２】本発明に係る記録装置の側面図。
【図３】本発明に係る記録装置において目視可能部のカバーを開いた状態を示す外観斜視図。
【図４】本発明に係る記録装置において第１領域に対応する保守対象を示す斜視図。
【図５】本発明に係る記録装置において第１領域に対応する保守対象を示す斜視図。
【図６】本発明に係る記録装置における領域を示す平面図。
【図７】本発明に係る記録装置においてインクカートリッジ収容部の開閉カバーを開いた状態を示す外観斜視図。
【発明を実施するための形態】
【００３８】
各図において示すＸ−Ｙ−Ｚ座標系はＸ方向が被記録媒体の搬送方向、Ｙ方向がキャリッジの走査方向、Ｚ方向が装置高さ方向（鉛直方向）を示している。尚、各図において−Ｘ方向を装置前面側とし、＋Ｘ方向側を装置背面側とする。
【００３９】
以下、図１及び図２を参照しつつ記録装置１０の全体構成について概説する。記録装置１０は、記録部１２と、該記録部から装置前方すなわち−Ｘ方向に突出する移動部１４とを備えて構成されている。
【００４０】
記録部１２は、筐体１６と、目視可能部１８と、操作部２０と、キャリッジ２２とを備えている。また、記録部１２は、キャリッジ２２の移動領域における記録領域の外側に、後述するキャップ２４と、ワイパー２６と、フラッシングパッド２８と、インクカートリッジ収容部３０とを備えている。
【００４１】
筐体１６には、記録部１２の内部を外部から目視できる目視可能部１８が設けられている。また、筐体１６には、記録装置１０を操作するための操作スイッチ及び液晶パネル等を備える操作部２０が設けられている。
【００４２】
操作部２０は、Ｘ軸方向において、後述するセット位置Ｘ１にトレイ３６が位置した場合、トレイ３６の記録ヘッド３２側の端部３６Ａよりも記録ヘッド３２側に位置している。言い換えると、セット位置Ｘ１にトレイ３６が位置する場合、鉛直方向において前記トレイ３６と操作部２０とが重ならない、ということを表す。このため、後述するトレイ３６にセット位置Ｘ１において被記録媒体をセットする際、ユーザーが誤って操作部２０を操作する虞がなく、或いはその虞が少ないことから、プリンター１０の誤動作を防止することができる。
【００４３】
更に記録部１２は、筐体１６内部にＹ軸方向を主走査方向とし、該主走査方向に移動可能に構成されたキャリッジ２２を備えている。キャリッジ２２は、該キャリッジの下部にインクを吐出する記録ヘッド３２を備えている。
【００４４】
移動部１４は、ベース３４と、「支持部」としてのトレイ３６と、移動機構３８とを備えている。ベース３４は、記録部１２から該記録部１２の前方及び後方に突出し、Ｘ軸方向に延びている。このように、ベース３４は一部を記録部１２の前面４０側に突出させている。更にベース３４の上面には、Ｘ軸方向に沿ってトレイ３６を移動させる移動機構３８が設けられている。移動機構３８は図示しない駆動源により駆動される。
【００４５】
トレイ３６は、記録部１２の前面４０側に位置するセット位置Ｘ１（図２の実線部参照）と記録部１２内部の記録開始位置Ｘ２（図２の一点鎖線部参照）との間を往復動する。ユーザーはセット位置Ｘ１にあるトレイ３６にＴシャツ等の被記録媒体をセットする。尚、図２に示すようにトレイ３６がセット位置Ｘ１に位置する際、操作部２０のセット位置Ｘ１側の端部２０Ａは、セット位置Ｘ１に位置するトレイ３６の記録部１２側の端部３６Ａよりも記録部１２側に位置している。このため、セット位置Ｘ１に位置するトレイ３６に被記録媒体をセットする際、操作部２０が被記録媒体と干渉することを抑制し、あるいは防止することができる。
【００４６】
そして、ユーザーはトレイ３６に被記録媒体をセットした後、操作部２０を操作し、トレイ３６を記録開始位置Ｘ２に移動させる。セット位置Ｘ１から記録開始位置Ｘ２までトレイ３６が移動する間、キャリッジ２２の下部に設けられた記録ヘッド３２は、後述するホームポジション側に退避している。尚、図２は、トレイ３６に載置された被記録媒体における記録工程の途中にある状態を示している。
【００４７】
トレイ３６がセット位置Ｘ１から記録開始位置Ｘ２まで移動すると、キャリッジ２２が駆動し、記録ヘッド３２からインクがトレイ３６にセットされた被記録媒体に向けて吐出され、記録が開始される。記録終了後、トレイ３６をセット位置Ｘ１に移動させる。以上がプリンター１０の概要であり、以下プリンター１０の細部について説明する。
【００４８】
図３を参照するに、筐体１６には、ユーザーが筐体１６内部のキャリッジ２２及びキャリッジ２２の移動可能領域を筐体１６の外部から目視するための目視可能部１８が設けられている。目視可能部１８には、筐体１６に対して開閉可能なカバー４２が設けられている。また、カバー４２は、図３におけるＹ軸方向において移動部１４の長さよりも長く構成されている。
【００４９】
カバー４２は、ユーザーが筐体１６の外部から筐体１６の内部を目視可能に透明に構成されている。ここで、「透明」とはユーザーが筐体１６の外部から筐体１６の内部を目視可能であればよく、完全な透明である必要はない。例えば「透明」とは、カバー４２の可視光線透過率が３０％以上１００％以下という意味である。
【００５０】
更に図４を参照するに、筐体１６内において、キャリッジ２２は主走査方向であるＹ軸方向に沿って移動可能に構成されている。キャリッジ２２は、非記録状態にある際、図４に示すようにキャリッジ２２の移動領域において記録領域の外側の一方に位置するホームポジションに移動している。本実施例では、ホームポジションは移動領域において記録領域の外側−Ｙ方向側に設定されている。
【００５１】
また、図５を参照するに、筐体１６内のホームポジションにおいてキャリッジ２２の下方には、第１の保守対象としてのキャップ２４とワイパー２６とが設けられている。キャップ２４は、キャリッジ２２がホームポジションに位置する際、該ホームポジションにおいて記録ヘッド３２を下方から付勢するとともに記録ヘッド３２のインク吐出ノズル（図示せず）を覆ってノズル面（図示せず）を保護する。
【００５２】
さらに、キャップ２４内にはインク吸収部材（図示せず）が設けられている。前記インク吐出ノズル内には、記録実行後にインクが残留し、該インクの粘度が高くなった状態となっている。このため、この状態で時間が経過すると、粘度の高い残留インクによりインク吐出ノズルが詰まることとなる。このため、ホームポジションにおいて、キャップ２４が記録ヘッド３２を覆うと、該記録ヘッドに接続されたポンプ（図示せず）によりキャップ２４内の空気を吸引し、該キャップ内を負圧状態とする。その結果、前記インク吐出ノズル内の残留インクが前記インク吐出ノズル内から吸引されて、前記インク吸収部材に吸収される。これにより、粘度の高い残留インクによってインク吐出ノズルが詰まることを防止することができる。
【００５３】
また、上記ホームポジションには、ワイパー２６が設けられている。ワイパー２６はキャップ２４に隣接して配置されている。ワイパー２６は、キャリッジ２２がホームポジションから主走査方向すなわちＹ軸方向に沿って移動する際あるいはホームポジションより＋Ｙ側の位置からホームポジションに移動する際、記録ヘッド３２の前記ノズル面を擦るように配置されている。ワイパー２６は、Ｘ軸方向に延びるブレード部材として構成されている。
【００５４】
ここでキャップ２４により前記インク吐出ノズル内の残留インクが前記インク吐出ノズル内から吸引されると、吸引されたインクの一部が記録ヘッド３２のノズル面に付着することがある。また、記録ヘッド３２から吐出されたインクの一部はプリンター１０内を浮遊するインクミストとなる。前記インクミストの一部は、前記ノズル面に付着することがある。
【００５５】
付着したインクは、時間の経過とともに粘度が増し、前記ノズル面に固化して付着することとなる。このため、キャップ２４により前記インクを吸引した後や記録ヘッド３２からインクを吐出させた後に、前記ノズル面に対してワイパー２６を当接させた状態で、前記ノズル面とワイパー２６とを相対移動させることにより前記ノズル面に付着したインクを前記ノズル面から払拭する。これにより、前記ノズル面にインクが固化して付着することを防止することができる。
【００５６】
再度、図３を参照するに、キャリッジ２２の移動領域における記録領域の外側の他方には第２の保守対象としてのフラッシングパッド２８が設けられている。尚、本実施例では、フラッシングパッド２８は移動領域において記録領域の外側、すなわち移動領域においてキャップ２４及びワイパー２６が設けられた側と反対側に配置されている。フラッシングパッド２８は、インク吸収部材を備えている。
【００５７】
一般的に、本実施形態のプリンター１０のようなインクジェットプリンターでは、記録ヘッド３２の前記ノズルに付着したインクにより前記ノズルが詰まることを防止するために、定期的に前記インク吐出ノズルからインクを吐出させるフラッシングが必要となる。フラッシングは、所定回数の記録実行後又はプリンター１０の電源投入時等にキャリッジ２２をフラッシングパッド２８の直上に移動させて、前記インク吐出ノズルからインクを吐出させることにより行われる。
【００５８】
このため、キャリッジ２２をフラッシングパッド２８の直上に移動させてフラッシングが行われると、記録ヘッド３２の前記インク吐出ノズルから吐出されたインクをフラッシングパッド２８のインク吸収部材が吸収する。
【００５９】
キャップ２４内に設けられたインク吸収部材及びフラッシングパッド２８のインク吸収部材は、インクを吸収することにより定期的に交換する必要がある。また、ワイパー２６においてもノズル面から擦り取ったインクを定期的に洗浄してワイパー２６から除去すること及びワイパー２６そのものの交換をすることが必要となる。
【００６０】
図６を参照するに、記録部１２の前面４０において第１の保守対象であるキャップ２４及びワイパー２６に対応する位置に保守作業のための第１領域４４が設けられている。また、記録部１２の前面４０には、第２の保守対象であるフラッシングパッド２８に対応する位置に保守作業のための第２領域４６が設けられている。さらに、記録部１２の前面４０のＹ軸方向において第１領域４４と第２領域４６との間には移動部１４が位置している。すなわち、移動部１４の両側に第１領域４４と第２領域４６とが位置している。
【００６１】
第１領域４４は、第１の保守対象であるキャップ２４及びワイパー２６の保守作業（洗浄作業及び交換作業）をし易くするため、Ｙ軸方向において筐体１６の右側面４８と移動部１４の右側面５０との間及びＸ軸方向において筐体１６（記録部１２）の前面４０と移動部１４の先端５２との間の領域が相当する。
【００６２】
尚、図６に示すようにＹ軸方向において、第１領域４４の長さをＬ１とし、第２領域４６の長さをＬ２とし、移動部１４の長さをＬ３とすると、筐体１６の長さはＬ１＋Ｌ２＋Ｌ３となる。また、第１領域４４の長さＬ１と第２領域４６の長さＬ２とは、Ｌ２＜Ｌ１の関係にある。
【００６３】
このため、ユーザーは、第１の保守対象であるキャップ２４及びワイパー２６の保守作業を行う際、第１領域４４に立ち入ってキャップ２４及びワイパー２６に接近して作業を行うことができる。
【００６４】
同様に、第２領域４６は、第２の保守対象であるフラッシングパッド２８の保守作業をし易くするため、Ｙ軸方向において移動部１４の左側面５４と筐体１６の左側面５６との間及びＸ軸方向において筐体１６（記録部１２）の前面４０と移動部１４の先端５２との間の領域が相当する。
【００６５】
このため、ユーザーは、第２の保守対象であるフラッシングパッド２８の保守作業（交換作業）を行う際、第２領域４６に立ち入ってフラッシングパッド２８に接近して作業を行うことができる。
【００６６】
また、ユーザーは、第１領域４４及び第２領域４６に入って作業することができることから、第１の保守対象であるキャップ２４、ワイパー２６及び第２の保守対象であるフラッシングパッド２８の保守作業だけでなく、キャリッジ２２及び記録ヘッド３２の保守作業や記録開始位置Ｘ２におけるトラブル等の保守作業をすることができる。さらに、目視可能部１８を介して被記録媒体の記録状況の確認を行うことができる。このため、第１領域４４及び第２領域４６は、目視可能部１８に対する目視用領域を兼ねている。
【００６７】
本実施例では、第１の保守対象であるキャップ２４及びワイパー２６の方が、第２の保守対象であるフラッシングパッド２８よりも保守作業の頻度が高いことから、作業性を考慮して、記録部１２の前面４０の幅方向すなわちＹ軸方向における第１領域４４の長さＬ１（図６参照）を第２領域４６の長さＬ２（図６参照）よりも大きく設定している。
【００６８】
次いで図７を参照するに、記録部１２の前面４０には「収容部」としてのインクカートリッジ収容部３０が設けられている。インクカートリッジ収容部３０は、記録部１２の前面４０において第１領域４４に対応する位置に設けられた第１インクカートリッジ収容部５８と、記録部１２の前面４０において第２領域４６に対応する位置に設けられた第２インクカートリッジ収容部６０とを備えている。
【００６９】
第１インクカートリッジ収容部５８及び第２インクカートリッジ収容部６０は、「インク収容体」としての複数のインクカートリッジ６２を収容可能である。このため、第１領域４４及び第２領域４６は、第１インクカートリッジ収容部５８及び第２インクカートリッジ収容部６０におけるインクカートリッジ６２の収容のための作業領域を兼ねている。
【００７０】
尚、図２に示すように、第１インクカートリッジ収容部５８及び第２インクカートリッジ収容部６０に収容されたインクカートリッジ６２において、記録部１２の前面４０側の端部６２Ａは、図２におけるＸ軸方向において、トレイ３６がセット位置Ｘ１に位置する際、トレイ３６の端部３６Ａよりも記録部１２側に位置している。
【００７１】
また、第１インクカートリッジ収容部５８は、記録部１２の前面４０に第１開閉カバー６４を備えている。第１開閉カバー６４は、前面４０に対して回動可能に構成され、第１インクカートリッジ収容部５８を開いた状態と閉じた状態とに切り替えることができる。このため、第１領域４４は、第１開閉カバー６４の開閉領域も兼ねている。
【００７２】
同様に、第２インクカートリッジ収容部６０は、記録部１２の前面４０に第２開閉カバー６６を備えている。第２開閉カバー６６は、前面４０に対して回動可能に構成され、第２インクカートリッジ収容部６０を開いた状態と閉じた状態とに切り替えることができる。このため、第２領域４６は、第２開閉カバー６６の開閉領域も兼ねている。
【００７３】
閉じた状態における第１開閉カバー６４及び第２開閉カバー６６は、トレイ３６がセット位置Ｘ１に位置する場合に、Ｘ軸方向におけるトレイ３６の記録ヘッド３２側の端部３６Ａよりも記録ヘッド３２側に位置している。これにより、トレイ３６に対して被記録媒体をセットする場合に、被記録媒体と各開閉カバーとの接触を抑制することができる。
【００７４】
上記説明をまとめると本実施形態のプリンター１０は、被記録媒体に記録を実行する記録部１２と、前記被記録媒体を支持するトレイ３６と、記録部１２に対してトレイ３６を、当該トレイ３６に前記被記録媒体をセットするセット位置Ｘ１と、トレイ３６に支持された前記被記録媒体に記録部１２を用いて記録を実行する記録開始位置Ｘ２との間でＸ軸方向に相対的に移動させる移動部１４と、記録部１２および移動部１４を操作するための操作部２０とを備えている。操作部２０のＸ軸方向におけるセット位置Ｘ１側の端部２０Ａは、トレイ３６がセット位置Ｘ１に位置する状態において、Ｘ軸方向におけるトレイ３６の記録部１２側の端部３６Ａよりも記録部１２側に位置している。操作部２０は、Ｘ軸方向と交差するＹ軸方向またはＺ軸方向において、移動部１４と少なくとも一部が重なる。
【００７５】
記録部１２は、筐体１６と、該筐体１６内に設けられた記録ヘッド３２とを有している。筐体１６のＸ軸方向におけるセット位置Ｘ１側の端部すなわち筐体１６の前面４０は、トレイ３６がセット位置Ｘ１に位置する状態において、Ｘ軸方向におけるトレイ３６の記録部１２側の端部３６Ａよりも記録ヘッド３２側に位置する。
【００７６】
筐体１６において、Ｙ軸方向における筐体１６の右側面４８から移動部１４までの長さＬ１は、Ｙ軸方向における筐体１６の左側面５６から移動部１４までの長さＬ２よりも長い。記録部１２は、記録ヘッド３２と、当該記録ヘッド３２へ供給するインクを収容するインクカートリッジ６２を収容可能なインクカートリッジ収容部３０とを備える。インクカートリッジ収容部３０にインクカートリッジ６２が収容された場合、当該インクカートリッジ６２のＸ軸方向におけるセット位置Ｘ１側の端部６２Ａは、トレイ３６がセット位置Ｘ１に位置する状態において、トレイ３６の記録部１２側の端部３６Ａよりも記録部１２側に位置する。
【００７７】
インクカートリッジ収容部３０は、Ｙ軸方向における一方向側に設けられた第１インクカートリッジ収容部５８と、他方向側に設けられた第２インクカートリッジ収容部６０とを備える。移動部１４は、Ｙ軸方向において第１インクカートリッジ収容部５８と第２インクカートリッジ収容部６０との間に位置する。インクカートリッジ収容部３０は開閉カバー６４、６６を備える。閉じた状態における開閉カバー６４、６６は、トレイ３６がセット位置Ｘ１に位置する状態において、Ｘ軸方向におけるトレイ３６の記録部１２側の端部３６Ａよりも記録ヘッド３２側に位置する。
【００７８】
記録部１２は、内部を目視可能な目視可能部１８を備える。目視可能部１８は透明な開閉カバー４２を備える。透明な開閉カバー４２のＹ軸方向における長さは、移動部１４の
Ｙ軸方向における長さよりも長い。
【００７９】
＜＜＜＜第１の実施例の変形例＞＞＞＞
（１）目視可能部１８は、カバー４２を無色透明なカバーに代えて有色透明なカバーとして構成してもよく、カバー４２を設けずに開口部として構成してもよい。
（２）本実施例では、第１の保守対象であるキャップ２４及びワイパー２６を記録部１２の移動領域−Ｙ側に配置したが、キャップ２４及びワイパー２６を移動領域＋Ｙ側に配置してもよく、第２の保守対象であるフラッシングパッド２８を記録部１２の移動領域のＹ側に代えて移動領域の−Ｙ側に配置してもよい。
（３）ワイパー２６は、ブレード部材に代えてブラシや布として構成してもよい。
【００８０】
（４）第１インクカートリッジ収容部５８の第１開閉カバー６４及び第２インクカートリッジ収容部６０の第２開閉カバー６６は、開閉式に代えて着脱式に構成してもよい。
（５）また、第１開閉カバー６４及び第２開閉カバー６６を備えない構成としてもよい。この場合、第１インクカートリッジ収容部５８及び第２インクカートリッジ収容部６０に収容されたインクカートリッジ６２のＸ軸方向における端部６２Ａは、トレイ３６がセット位置Ｘ１に位置する場合に、Ｘ軸方向におけるトレイ３６の記録ヘッド３２側の端部３６Ａよりも記録ヘッド３２側に位置していることが好ましい。これにより、トレイ３６に対して被記録媒体をセットする際、被記録媒体とインクカートリッジ６２との接触を抑制し、あるいは防止することができる。
（６）インクカートリッジ収容部３０は、第１インクカートリッジ収容部５８及び第２インクカートリッジ収容部６０を備える構成としたが、いずれか一方のみを備える構成としてもよい。
【００８１】
（７）また、本実施例では、トレイ３６が移動機構３８によりＸ軸方向に移動する構成としたが、この構成に代えて、トレイ３６を固定し、記録ヘッド３２及びキャリッジ２２をトレイ３６に対してＸ軸方向及びＹ軸方向に移動させる構成としてもよい。また、トレイ３６及びキャリッジ２２の両方をＸ軸方向及びＹ軸方向に移動させる構成としてもよい。
【００８２】
また、本実施形態では本発明に係る記録装置１０を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００８４】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８５】
１０  プリンター、１２  記録部、１４  移動部、１６  筐体、１８  目視可能部、
２０  操作部、２０Ａ  操作部の端部、２２  キャリッジ、２４  キャップ、
２６  ワイパー、２８  フラッシングパッド、３０  インクカートリッジ収容部、
３２  記録ヘッド、３４  ベース、３６  トレイ、３６Ａ  トレイの端部、
３８  移動機構、４０  前面、４２  カバー、４４  第１領域、４６  第２領域、
４８  筐体の右側面、５０  移動部の右側面、５２  移動部の先端、
５４  移動部の左側面、５６  筐体の左側面、５８  第１インクカートリッジ収容部、
６０  第２インクカートリッジ収容部、６２  インクカートリッジ、
６２Ａ  インクカートリッジの端部、６４  第１開閉カバー、６６  第２開閉カバー、
Ｘ１  セット位置、Ｘ２  記録開始位置、Ｌ１  第１領域のＹ軸方向における長さ、
Ｌ２  第２領域のＹ軸方向における長さ、Ｌ３  移動部のＹ軸方向における長さ
【図１】
2014156062.tif 000003
【図２】
2014156062.tif 000004
【図３】
2014156062.tif 000005
【図４】
2014156062.tif 000006
【図５】
2014156062.tif 000007
【図６】
2014156062.tif 000008
【図７】
2014156062.tif 000009